(57)【要約】      （修正有）【課題】レンゲがラーメン等の鉢内に滑落することを防止しつつ、レンゲの製造コストを低く抑え、更にはデザイン性に優れたレンゲを提供することを可能とする食器用保持具を提供する。【解決手段】食器の柄を鉢の上縁に保持するために前記柄に装着するリング状の食器用保持具１であって、内側方向から外側方向への厚みが厚い厚手部と、内側方向から外側方向への厚みが厚手部より薄い薄手部とからなり、厚手部は鉢の上縁の厚みよりも厚く形成されている。また、この食器用保持具は、伸縮性のある素材で形成され、内周が柄の外周より小さく形成されている。さらに、表面形状が、柄の先端から柄の根本方向に回転させながら柄に装着可能な円形である。【選択図】図１
2018175875.tif 000002
【特許請求の範囲】
【請求項１】
食器の柄を鉢の上縁に保持するために前記柄に装着するリング状の食器用保持具であって、
内周から外周方向への厚みが前記鉢の上縁の厚みよりも厚く形成されていることを特徴とする食器用保持具。
【請求項２】
内周から外周方向への厚みは、２ミリメートルから９ミリメートルの範囲であることを特徴とする請求項１記載の食器用保持具。
【請求項３】
伸縮性のある素材で形成され、
内周が前記柄の外周より小さく形成されることを特徴とする請求項１記載の食器用保持具。
【請求項４】
前記内周の直径は、２ミリメートルから１０ミリメートルの範囲であることを特徴とする請求項３記載の食器用保持具。
【請求項５】
軸方向の断面形状が、軸方向に回転させながら前記柄に装着可能な回転可能形状であることを特徴とする請求項１記載の食器用保持具。
【請求項６】
前記回転可能形状とは、円形、または楕円形、または多角形であることを特徴とする請求項５記載の食器用保持具。
【請求項７】
食器の柄を鉢の上縁に保持するために前記柄に装着するリング状の食器用保持具であって、
内周から外周方向への厚みが厚い厚手部と、
内周から外周方向への厚みが前記厚手部より薄い薄手部と、
からなり、
前記厚手部は、前記鉢の上縁の厚みよりも厚く形成されていることを特徴とする食器用保持具。
【請求項８】
前記厚手部の厚みは、２ミリメートルから９ミリメートルの範囲であることを特徴とする請求項７記載の食器用保持具。
【請求項９】
前記厚手部と前記薄手部とで形成される周において、
前記薄手部が占める割合の方が、前記厚手部が占める割合より大きいことを特徴とする請求項７記載の食器用保持具。
【請求項１０】
前記薄手部は伸縮性のある素材で形成され、
前記厚手部と前記薄手部とで形成される内周が前記柄の外周より小さく形成されることを特徴とする請求項７記載の食器用保持具。
【請求項１１】
前記厚手部と前記薄手部とで形成される内周の直径は、２ミリメートルから１０ミリメートルの範囲であることを特徴とする請求項１０記載の食器用保持具。
【請求項１２】
前記薄手部の軸方向の断面形状が、軸方向に回転させながら前記柄に装着可能な回転可能形状であることを特徴とする請求項７記載の食器用保持具。
【請求項１３】
前記回転可能形状とは、円形、または楕円形、または多角形であることを特徴とする請求項１２記載の食器用保持具。
【請求項１４】
前記厚手部は、
前記柄を右側から支持する第１厚手部と、前記柄を左側から支持する第２厚手部とからなることを特徴とする請求項７記載の食器用保持具。
【請求項１５】
前記第１厚手部と前記第２厚手部との間隔は、２ミリメートルから１０ミリメートルの範囲であることを特徴とする請求項１４記載の食器用保持具。
【請求項１６】
リング状の食器用保持具であって、
内周から外周方向への厚みが厚い厚手部と、
内周から外周方向への厚みが前記厚手部より薄い薄手部と、
からなることを特徴とする食器用保持具。
【請求項１７】
前記厚手部と前記薄手部とで形成される周において、
前記薄手部が占める割合の方が、前記厚手部が占める割合より大きいことを特徴とする請求項１６記載の食器用保持具。
【請求項１８】
前記厚手部は、第１厚手部と第２厚手部とからなり、
前記第１厚手部は前記第２厚手部と間隔を開けて設けられていることを特徴とする請求項１６記載の食器用保持具。
【請求項１９】
食器の柄に装着する装着部と、
前記柄を鉢の内側に立てかけた際に、前記鉢の外側に接することにより前記柄の滑落を防止する滑落防止手段と、
を備えることを特徴とする食器用保持具。
【請求項２０】
前記滑落防止手段は、前記柄との間に、前記鉢の上縁を挿入可能な挿入空間を形成する挿入空間形成部材を備えることを特徴とする請求項１９の食器用保持具。
【請求項２１】
前記滑落防止手段は、前記柄との間に、箸を収納可能な収納空間を形成する収納空間形成部材を備えることを特徴とする請求項１９の食器用保持具。
【請求項２２】
前記収納空間の開口部を上に向けた状態で保持する土台部を備え、
前記土台部は、前記台に接する点を少なくとも３つ有することを特徴とする請求項２１記載の食器用保持具。
【請求項２３】
前記装着部はリング上の形状であり、
その内側に、前記柄の窪みに入り込む突起を有することを特徴とする請求項１９の食器用保持具。
【請求項２４】
柄を鉢の内側に立てかけた際に、前記鉢の外側に接することにより前記柄の滑落を防止する滑落防止手段を備えることを特徴とする食器。
【発明の詳細な説明】
【技術分野】
【０００１】  本発明は、レンゲ（散蓮華）や匙などの食器が鉢の中に滑落することを防止するための食器用保持具または食器に関する。
【背景技術】
【０００２】  一般的に、ラーメンなどの汁物を食べる際は、スープを食するためレンゲを使用する。
レンゲの基本構成は図７の通りである。
図７（ａ）は、一般的なレンゲ５０であり、お椀状の杓部５１と棒状の柄５２とからなる。レンゲ５０は、図７（ｂ）のようにラーメンの鉢６０の上縁に立てかけるように置かれる。
しかし、図７（ｃ）のように、レンゲ５０が鉢６０内に滑り落ちることがあり、柄５２がスープに浸ってしまい、柄５２を持つ手にスープが付いて、手が汚れてしまうという問題がある。【０００３】  この問題に対し、図８（ａ）のようなレンゲ５０が提供されている（非特許文献１）。これは柄５２の先端部の裏側に突起状のストッパー５３が設けられている。図８（ａ）のレンゲ５０を、図８（ｂ）のように鉢６０の上縁に立てかけた場合、滑り落ちてもストッパー５３が鉢６０の上縁に引っかかり、柄５２がスープに浸ることを防止できる。【０００４】
【先行技術文献】
【非特許文献】
【０００５】
【非特許文献１】楽天市場ホームページ、ｈｔｔｐ：／／ｉｔｅｍ．ｒａｋｕｔｅｎ．ｃｏ．ｊｐ／ｋｉｒａｋｕｙａ−ｗｅｂｓｈｏｐ／１０００３１３０／、２０１７年３月４日検索
【発明の概要】
【発明が解決しようとする課題】
【０００６】  しかし、図８（ａ）のようにストッパー５３を備えるレンゲ５０は、ストッパー５３の製造に手間がかかり、コスト高になるという問題があった。更に、ストッパー５３を付加する必要があるためデザイン上の制約があり、デザイン性に優れたレンゲ５０を提供することが難しいという問題もあった。【０００７】  すなわち、図７（ａ）のようにストッパー５３を設けていないレンゲ５０はデザイン上の制約がないためデザイン性に優れたレンゲ５０を提供できるという利点がある一方で、鉢６０内に滑落してしまうという問題があった。一方、図８（ａ）のようにストッパー５３を設けたレンゲ５０は鉢６０内に滑落することを防止できるという利点がある一方で、製造コストが高く、デザイン性に劣るという問題があった。【０００８】  本発明は、このような課題を解決するためのものであり、レンゲがラーメン等の鉢内に滑落することを防止しつつ、レンゲの製造コストを低く抑え、更にはデザイン性に優れたレンゲを提供することを可能とする食器用保持具を提供するものである。
【課題を解決するための手段】
【０００９】  上記問題を解決するため、本発明では、以下の食器用保持具が提供される。
（１）食器の柄を鉢の上縁に保持するために前記柄に装着するリング状の食器用保持具であって、内周から外周方向への厚みが前記鉢の上縁の厚みよりも厚く形成されている。
（２）内周から外周方向への厚みは、２ミリメートルから９ミリメートルの範囲である。
（３）伸縮性のある素材で形成され、内周が前記柄の外周より小さく形成される。
（４）前記内周の直径は、２ミリメートルから１０ミリメートルの範囲である。
（５）軸方向の断面形状が、軸方向に回転させながら前記柄に装着可能な回転可能形状であり、前記回転可能形状とは、円形、または楕円形、または多角形である。
（６）食器の柄を鉢の上縁に保持するために前記柄に装着するリング状の食器用保持具であって、内周から外周方向への厚みが厚い厚手部と、内周から外周方向への厚みが前記厚手部より薄い薄手部とからなり、前記厚手部は、前記鉢の上縁の厚みよりも厚く形成されている。
（７）前記厚手部の厚みは、２ミリメートルから９ミリメートルの範囲である。
（８）前記厚手部と前記薄手部とで形成される周において、前記薄手部が占める割合の方が、前記厚手部が占める割合より大きい。
（９）前記薄手部は伸縮性のある素材で形成され、前記厚手部と前記薄手部とで形成される内周が前記柄の外周より小さく形成される。
（１０）前記厚手部と前記薄手部とで形成される内周の直径は、２ミリメートルから１０ミリメートルの範囲である。
（１１）前記薄手部の軸方向の断面形状が、軸方向に回転させながら前記柄に装着可能な回転可能形状であり、前記回転可能形状とは、円形、または楕円形、または多角形である。
（１２）前記厚手部は、前記柄を右側から支持する第１厚手部と、前記柄を左側から支持する第２厚手部とからなる。
（１３）前記第１厚手部と前記第２厚手部との間隔は、２ミリメートルから１０ミリメートルの範囲である。
（１４）リング状の食器用保持具であって、内周から外周方向への厚みが厚い厚手部と、内周から外周方向への厚みが前記厚手部より薄い薄手部とからなる。
（１５）前記厚手部と前記薄手部とで形成される周において、前記薄手部が占める割合の方が、前記厚手部が占める割合より大きい。
（１６）前記厚手部は、第１厚手部と第２厚手部とからなり、前記第１厚手部は前記第２厚手部と間隔を開けて設けられている。
（１７）食器の柄に装着する装着部と、前記柄を鉢の内側に立てかけた際に、前記鉢の外側に接することにより前記柄の滑落を防止する滑落防止手段と、を備える食器用保持具。
（１８）前記滑落防止手段は、前記柄との間に、前記鉢の上縁を挿入可能な挿入空間を形成する挿入空間形成部材を備える。
（１９）前記滑落防止手段は、前記柄との間に、箸を収納可能な収納空間を形成する収納空間形成部材を備える。
（２０）前記収納空間の開口部を上に向けた状態で保持する土台部を備え、前記土台部は、前記台に接する点を少なくとも３つ有する。
（２１）前記装着部はリング上の形状であり、その内側に、前記柄の窪みに入り込む突起を有する。
（２２）柄を鉢の内側に立てかけた際に、前記鉢の外側に接することにより前記柄の滑落を防止する滑落防止手段を備える食器。
【発明の効果】
【００１０】  本発明を利用すれば、レンゲ等の食器が、ラーメン等の鉢の中に滑落することを防止しつつ、レンゲの製造コストを低く抑え、更にはデザイン性に優れたレンゲを提供することができる。
【図面の簡単な説明】
【００１１】
【図１】  第１の実施例に係る保持具を表した図である。
【図２】  保持具の装着方法を表した図である。
【図３】  保持具の使用方法を表した図である。
【図４】  保持具と鉢上縁との接点を表した図である。
【図５】  第２の実施例に係る保持具を表した図である。
【図６】  第３の実施例に係る保持具を表した図である。
【図７】  第４の実施例に係る保持具の正面図および左側面図を表した図である。
【図８】  第４の実施例に係る保持具の上面図を表した図である。
【図９】  保持具の使用方法を表した図である。
【図１０】  保持具を箸置きとして使用する方法を表した図である。
【図１１】  従来のレンゲとその問題点を表した図である。
【図１２】  従来のストッパー付きのレンゲを表した図である。
【発明を実施するための形態】
【実施例１】
【００１２】  次に、本発明の実施例１を図に基づいて説明する。
図１は、本発明の食器用の保持具１である。
保持具１は、内部空間２を有するリング状の形状をしており、ゴムやシリコン等の伸縮性を有する素材で形成されている。
図１（ａ）および（ｂ）のＡ−Ａ断面図は、軸方向（保持具１を柄５２に装着した場合の柄５２の先端から柄５２の根本方向）の断面である。すなわち、保持具１を平面に置いた状態で縦方向（上から下）に切断した場合の断面の形状を表した図である。この断面形状は円形形状が好ましいが、これに限るものでない（この断面形状については詳しくは後述する）。【００１３】  図１（ａ）の保持具１の内周から外周方向の厚み（Ａ−Ａ断面図の横幅。すなわち、円形断面の直径）は、後述する鉢６０の上縁（側面の上端）の厚みより分厚く形成されている。具体的には、内周から外周方向への厚みは、３ミリメートルから６ミリメートルの範囲が最良であるが、２ミリメートルから９ミリメートルの範囲であってもよい（ただし、これに限るものではない）。【００１４】  図１（ａ）の保持具１の内部空間２は、柄５２より小さく形成されている。すなわち、保持具１の内周は、柄５２の外周（柄５２の長手方向と直行する外周）より小さく形成されている。このように保持具１の内周を柄５２の外周より小さくし、且つ保持具１を伸縮性のある素材にすることにより、保持具１をしっかりと柄５２に固定できるのである。すなわち、保持具１の内周が、柄５２の外周より大きいと、保持具１と柄５２との間に隙間ができしまい、保持具１を柄５２に固定することができないのである。
保持具１の内周の直径は、具体的には４ミリメートルから８ミリメートルの範囲が最良であるが、２ミリメートルから１０ミリメートルの範囲であってもよい（ただし、これに限るものではない）。【００１５】  次に、保持具１の装着方法について説明する。
保持具１は、レンゲ５０の柄５２に装着するものであり、装着方法は図２の通りである。
保持具１の内周は柄５２の外周より小さく形成されているので、保持具１はそのままでは柄５２に装着できない。しかし、保持具１は伸縮性を有する素材で形成されているので、保持具１を柄５２に装着する際は、まず指先で保持具１を外側方向に引っ張って内周（内部空間２）を拡大して保持具１の内部空間２を柄５２の先端に通し、保持具１を柄５２の先端に取り付ける。【００１６】  次に、保持具１を図２の矢印方向（保持具１の断面外周方向）に回転させながら、柄５２の先端方向から柄５２の根本方向（杓部５１の方向）に向かって移動させて装着する。
よって、保持具１の軸方向の断面形状（図１のＡ−Ａ断面図の形状）は、軸方向に回転させながら柄５２に装着可能な回転可能形状に形成する必要がある。すなわち、柄５２の先端から柄５２の根本方向（杓部５１の方向）に回転させながら柄５２に装着可能な回転可能形状に形成する。この回転可能形状とは、円形が好ましいが、楕円形や多角形であってもよい。なお、多角形の場合は、四角形、五角形、六角形等の角が多い方が望ましい。
なお、保持具１の表面および柄５２の側面の摩擦抵抗が小さければ、保持具１を回転させることなく、そのまま柄５２に装着することも可能である。【００１７】  次に、保持具１の使用方法について説明する。
図３および図４のように、保持具１を装着したレンゲ５０を、ラーメンの鉢６０の上縁に立てかける。その際に、レンゲ５０の柄５２が鉢６０の上縁を滑り、落ちかけても、鉢６０の上縁に保持具１が図４のように引っかかり、柄５２が鉢６０の内部に滑り落ちることがない。すなわち、保持具１があることにより、柄５２を鉢６０の上縁に立てかけたままの状態で保持することができるのである。
なお、前述の通り、保持具１の内周から外周方向の厚みは、鉢６０の上縁の厚みより分厚く形成されているので、柄５２を鉢６０の外側からしっかりと保持することができ、柄５２が鉢６０の内部に滑り落ちることを確実に防止できる。【００１８】  本実施例の効果は以下の通りである。
（１）本実施例に係る保持具１を利用すれば、レンゲ５０等の食器が、ラーメン等の鉢６０の中に滑落することを防止しつつ、レンゲ５０の製造コストを低く抑え、更にはデザイン性に優れたレンゲ５０を提供することができる。
（２）本実施例に係る保持具１は、リング状の単純な形状なので製造コストを安くすることができる。
（３）本実施例に係る保持具１は、伸縮性を有する素材で形成されているので、保持具１の内周を柄５２の外周より小さくしても、容易に柄５２に装着できる。
（４）保持具１の軸方向の断面形状が、軸方向に回転させながら柄５２に装着可能な回転可能形状なので、柄５２と保持具１との摩擦抵抗があっても容易に装着できる。また、これにより使用者が所望する任意の位置に保持具１を設置できる。
【実施例２】
【００１９】  次に、実施例２について説明する。
実施例１の保持具１の内周から外周方向への厚みは、鉢６０の上縁より厚く形成されており、このようなしっかりとした厚みに形成したことにより、柄５２が鉢６０の内部に滑り落ちることを確実に防止できる。
しかし、このように分厚いゴム製の保持具１は反発力が強いため、実施例１のように保持具１を外側に引っ張って内周を拡大させるには相当の力が必要となる。しかも、保持具１は比較的小さい道具であるため指先で広げなければならず、指先の力が弱い子供や高齢者では装着できない等の不都合が生じる。【００２０】  そこで、実施例２では、保持具１の一部は分厚いまま残し、その他の部分を薄くする。このようにすれば、薄い部分は反発力が弱いので、保持具１全体の反発力は格段に弱くなり、子供や高齢者でも容易に装着することができる。そして、その一方で、分厚い部分も残っているので、柄５２が鉢６０の内部に滑り落ちることを防止できる。【００２１】  以下、実施例２について実施例１との相違点を中心に説明する。
図５（ａ）の保持具１は、実施例１と同様、リング状の形状をしており、ゴムやシリコン等の伸縮性を有する素材で形成されている。
保持具１は、保持具１の内側方向から外側方向の厚みが厚い厚手部１１と、厚手部１１より薄い薄手部１２とからなる。
図４（ａ）および（ｂ）に表されたＢ−Ｂ断面図は、厚手部１１の断面である。厚手部１１の厚みは実施例１の保持具１と同様である。
図４（ａ）および（ｂ）に表されたＣ−Ｃ断面図は、薄手部１２の断面である。薄手部１２の厚みは厚手部１１よりも薄く、厚手部１１の半分程度の厚みである（ただし、これに限るものではない）。【００２２】  Ｂ−Ｂ断面は、前述のＡ−Ａ断面と同様、回転可能形状である。具体的には、円形が望ましいが、これに限るものではなく、楕円形・多角形であってもよい。ただし、厚手部１１は柄５２と接する部分が小さいため柄５２との摩擦抵抗も小さい。よって、必ずしも回転可能形状でなくてもよい。
Ｃ−Ｃ断面は、前述のＡ−Ａ断面と同様、回転可能形状である。具体的には、円形が望ましいが、これに限るものではなく、楕円形・多角形であってもよい。薄手部１２は大きいため柄５２との摩擦抵抗も大きい。よって、極力回転可能形状であることが望ましい。【００２３】  保持具１はリング状の形状であり、その周（内周および外周）は厚手部１１と薄手部１２とで形成されるが、その周（周の長さ）において、薄手部１２が占める割合の方が、厚手部１１が占める割合より大きいことが望ましい。すなわち、薄手部１２が保持具１の周の半分以上を占め、厚手部１１は半分未満の方が望ましい。厚手部１１の割合を小さくすればするほど（薄手部１２の割合を大きくすればするほど）、保持具１の反発力が弱くなり、装着がより容易になるからである。【００２４】  厚手部１１および薄手部１２は伸縮性のある素材で形成される。ただし、厚手部１１は小さいため、この部分が伸縮しなくても、保持具１全体の伸縮性に大きな影響はない。よって、厚手部１１は必ずしも伸縮性素材である必要はない。
厚手部１１と薄手部１２とで形成される内周は柄５２の外周より小さく形成されている。【００２５】  次に、保持具１の装着方法および使用方法について説明する。
保持具１の装着方法は実施例１とほぼ同様であるが、厚手部１１が柄５２の裏側に位置するように装着するよう注意する。保持具１の使用方法は、実施例１と同様である。【００２６】  本実施例に係る保持具１を利用すれば、上記実施例１の効果に加え、指先の力が弱い子供や高齢者でも容易に保持具１を柄５２に装着できるという効果を得ることができる。
【実施例３】
【００２７】  実施例３は、２つの厚手部１１を有する保持具１である（図６）。
上記の実施例２（図５）の保持具１は、厚手部１１が柄５２の裏面に位置するように装着される。しかし、厚手部１１は１つしかないので柄５２を１点でのみ支えることになり、柄５２が不安定になってしまう。すなわち、柄５２が左右に振れてしまい、その振れが大きくなると柄５２が鉢６０内に滑り落ちてしまう。
そこで、実施例３では、図６のように２つの厚手部１１（第１厚手部としての厚手部１１ａと、第２厚手部としての厚手部１１ｂ）を設け、左右から柄５２の裏面を支持する。これにより、柄５２が左右に振れることがなく、確実に柄５２を鉢６０の上縁に保持できる。
なお、厚手部１１ａと厚手部１１ｂとの間には所定の間隔が設けられており、その間隔は４ミリメートルから８ミリメートルの範囲が最良であるが、２ミリメートルから１０ミリメートルの範囲であってもよい（ただし、これに限るものではない）。【００２８】  本実施例に係る保持具１を利用すれば、上記実施例１および実施例２の効果に加え、柄５２を安定させて、確実に鉢６０の上縁に保持できるという効果を得ることができる。
【実施例４】
【００２９】  実施例４は、滑落防止手段を備えるものである。上記実施例は保持具１の厚みや厚手部１１の厚みで、鉢６０の上縁にレンゲ５０を保持するものであった。しかし、上記実施例の場合、外部からの衝撃が加えられた場合（例えば、うっかり手がレンゲ５０に触れてしまったり、テーブルに人がぶつかり鉢６０が揺れた場合など）は、レンゲ５０が鉢６０の中に滑落してしまうことがあった。そこで、本実施例では滑落防止手段を設けたのである。以下、図に基づいて説明する。【００３０】  図７（ａ）の符号２０は本実施例の保持具を表した正面図であり、図７（ｂ）はその左側面図である。
保持具２０は装着部２１と滑落防止部２２とからなる。
装着部２１は上記実施例にて説明したリング状の部材である（ただし、これに限るものではない）。
滑落防止部２２は、鉢６０の外側の面（外周面）に接触する先端部２３と、先端部２３と装着部２１との間に空間２５（開口部を有する空間）を設けるためのアーム２４（挿入空間形成部材・収納空間形成部材）とからなる。なお、この空間２５は鉢６０の上縁を挿入することが可能な大きさを有する。また、この空間２５は箸を収納することも可能な大きさを有する（ただし、これに限るものではない）。【００３１】  図８（ａ）は、保持具２０の上面図である。装着部２１は内部空間２７を有するリング状の部材であり、内部空間２７にはレンゲ５０の柄５２の窪みに入り込む突起２６が設けられている。
図８（ｂ）は装着部２１の内部空間２７内にレンゲ５０の柄５２を挿入した状態の概略を示す断面図である。柄５２は、円柱状の形状のものもあるが、図８（ｂ）のように断面が三日月形状のものもある。この三日月形状の窪みに突起２６が入り込むことにより、装着部２１はしっかりと柄５２に装着され、ずれ落ちることがなくなる。【００３２】  次に、保持具２０の使用方法について説明する。
図９のように、柄５２に保持具２０を装着したレンゲ５０を、鉢６０の内側に立てかける。この際、空間２５に鉢６０の上縁を挿入するように立てかけると、先端部２３が鉢６０の外側（外周面）に接触して外周面を保持する。これにより、レンゲ５０は鉢６０にしっかりと保持され、外部から衝撃を受けても滑落することがない。
なお、滑落防止部２２は図７（ｂ）のようにレンゲ５０の柄５２を左右両方から支えるよう２つ設けることが好ましいが、１つだけもよいし、３つ以上でもよい。
また、本実施例では保持具２０を柄５２に滑らせるように装着するものであり、上記実施例のように回転させながら柄５２に装着するものではない（ただし、これに限るものではない）。【００３３】  図１０（ａ）は、保持具２０の先端部２３（収納空間２５の開口部）を上に向けた状態でテーブル（台）２８に置いた状態を表す正面図であり、図１０（ｂ）はその右側面図である。
空間２５はアーム２４により箸２９を収納できる大きさを有するので、このように保持具２０は箸置きとして利用することができる。
なお、装着部２１または滑落防止部２２は、図１０（ａ）（ｂ）のように収納空間２５の開口部を上に向けた状態で保持する土台部（例えば、台２８に接する３つ以上の点）を備えるものである。これにより、箸を容易に収納空間２５に収納することができる。【００３４】  上記実施例では、特定の例に基づいて本発明の内容を説明したが、本発明はこれに限るものではない。すなわち、本発明の趣旨に沿うものであれば、異なる形状や素材であてもよい。
また、保持具１はレンゲだけでなく柄の付いた他の食器にも装着できる。さらに、ラーメンの鉢６０のみならず、それ以外の鉢や器に使用できるものである。
【符号の説明】
【００３５】１      保持具
２      内部空間
１１    厚手部
１１ａ  第１厚手部
１１ｂ  第２厚手部
１２    薄手部
２０    保持具
２１    装着部
２２    滑落防止部
２３    先端部
２４    アーム
２５    挿入空間、収納空間
２６    突起
２７    内部空間
２８    テーブルの台
２９    箸
５０    レンゲ
５１    杓部
５２    柄
５３    ストッパー
【図１】
2018175875.tif 000003
【図２】
2018175875.tif 000004
【図３】
2018175875.tif 000005
【図４】
2018175875.tif 000006
【図５】
2018175875.tif 000007
【図６】
2018175875.tif 000008
【図７】
2018175875.tif 000009
【図８】
2018175875.tif 000010
【図９】
2018175875.tif 000011
【図１０】
2018175875.tif 000012
【図１１】
2018175875.tif 000013
【図１２】
2018175875.tif 000014